(57)【特許請求の範囲】
【請求項１】
露光用の開口部を画定する基板と、
前記基板に対して回動自在に支持され前記開口部を全開し得るべくその回動中心から径方向に離れて形成された開口，及び周方向において二つの極性に着磁されたマグネットを有する円板と、
略Ｕ字状に形成されその自由端側において前記マグネットと磁気的作用を及ぼすべく前記円板の外周面に対向する二つの磁極片をもつヨーク，及び前記ヨークの二つの磁極片が連結される側に巻回された励磁用のコイルを含み，前記円板を回転駆動する駆動機構と、
を有する、ことを特徴とする光量調整装置。
【請求項２】
前記円板は、所定角度回転した位置において、前記露光用の開口部を絞る絞り開口を含む、
ことを特徴とする請求項１記載の光量調整装置。
【請求項３】
前記円板は、その回転中心に位置する支軸により、回動自在に支持されている、
ことを特徴とする請求項１又は２に記載の光量調整装置。
【請求項４】
前記円板は、その外周面及びその回転中心線と垂直な主面において、前記基板に形成されたガイド部により、回動自在に支持されている、
ことを特徴とする請求項１又は２に記載の光量調整装置。
【請求項５】
前記ヨークの磁極片は、前記円板の回転中心線と垂直な主面に対向するように形成されている、
ことを特徴とする請求項１ないし４いずれかに記載の光量調整装置。
【請求項６】
前記基板は、前記円板が往復動する角度範囲に対応する円弧状の長孔を有し、
前記円板は、前記長孔に挿入されるピンを有する、
ことを特徴とする請求項１ないし５いずれかに記載の光量調整装置。
【請求項７】
前記ピンは、前記円板の径方向において、前記開口と略並ぶ領域に形成されている、
ことを特徴とする請求項６記載の光量調整装置。
【発明の詳細な説明】
【技術分野】
【０００１】
本発明は、露光用の開口部を閉鎖し又は所定の口径に絞ることで、開口部を通過する光を完全に遮断又は減少させて光量を調整する光量調整装置に関し、特に、所定軸の回りに回転する円板を備えたターレット型の光量調整装置に関する。
【背景技術】
【０００２】
従来のターレット型の光量調整装置としては、露光用の開口部を有する基板、基板上の所定軸回りに回動自在に支持され周方向に配列された複数の開口を有する１つ又は２つの円板、円板を回転駆動するための歯車あるいは駆動レバー並びにステップモータを含む駆動機構等により構成された、いわゆるシャッタ装置又は絞り装置が知られている。
そして、このシャッタ装置又は絞り装置においては、ステップモータが回転すると、歯車あるいは駆動レバー等を介して、円板が所望の角度だけ回転させられて、露光用の開口部を開閉又は所定の口径に絞るようになっていた（例えば、特許文献１、特許文献２、特許文献３参照）。
【０００３】
【特許文献１】特開２００２−９０８０６号公報
【特許文献２】特開平０７−１９９２７４号公報
【特許文献３】特開２０００−２２７６２０号公報
【発明の開示】
【発明が解決しようとする課題】
【０００４】
ところで、上記従来の光量調整装置（シャッタ装置又は絞り装置）においては、円板の駆動機構として、歯車あるいは駆動レバー等を介して、ステップモータの回転駆動力を伝達する手法を採用しているため、部品点数が多く、構造が複雑であり、装置の大型化等を招いていた。
したがって、携帯電話機等に搭載されるカメラユニットに対して、従来のシャッタ装置又は絞り装置を適用するのは困難であり、それ故に、小型で薄型の光量調整装置（シャッタ装置又は絞り装置）が望まれていた。
【０００５】
本発明は、上記従来技術の事情に鑑みて成されたものであり、その目的とするところは、構造の簡略化、小型化、薄型化等を図りつつ、特に携帯電話機、携帯型パーソナルコンピュータ、ＰＤＡ等の携帯情報端末装置に適用するのに好適なターレット型の光量調整装置を提供することにある。
【課題を解決するための手段】
【０００６】
本発明の光量調整装置は、露光用の開口部を画定する基板と、基板に対して回動自在に支持され開口部を全開し得るべくその回動中心から径方向に離れて形成された開口，及び周方向において二つの極性に着磁されたマグネットを有する円板と、略Ｕ字状に形成されその自由端側においてマグネットと磁気的作用を及ぼすべく円板の外周面に対向する二つの磁極片をもつヨーク，及びヨークの二つの磁極片が連結される側に巻回された励磁用のコイルを含み，円板を回転駆動する駆動機構と、を有する、ことを特徴としている。
この構成によれば、コイルに通電されると、ヨークの磁極片にＮ極及びＳ極が生じ、この磁極片と円板の一部をなすマグネットとの間に磁気的吸引及び反発を生じて、円板は所定の角度を回転する。したがって、円板の開口が露光用の開口部に臨む位置にある全開状態から、円板が回転すると、開口部が閉鎖されてシャッタ動作が行われる。
このように、開口をもつターレット型の円板にマグネットを設け（例えば、着磁処理により一体成形し又は別個に形成した永久磁石を円板に後付けし）、ヨークとの間で生じる磁気的吸引力及び反発力を回転駆動力として円板に直接及ぼすようにしたことで、構造が簡略化され、小型化、薄型化された光量調整装置（シャッタ装置）が提供される。
また、ヨークの磁極片が円板の外周面に対向するように形成されているため、円板の回転中心線方向において、装置を薄型化することができる。
【０００７】
上記構成において、円板は、所定角度回転した位置において、露光用の開口部を絞る絞り開口を含む、構成を採用することができる。
この構成によれば、コイルに通電されると、ヨークの磁極片にＮ極及びＳ極が生じ、この磁極片と円板の一部をなすマグネットとの間に磁気的吸引及び反発を生じて、円板が所定角度回転すると、円板の開口が露光用の開口部に臨む全開状態から、円板の絞り開口が露光用の開口部に臨む位置に移動して、露光用の開口部が所定の面積に絞られる絞り動作が行われる。
このように、全開用の開口及び絞り開口をもつターレット型の円板にマグネットを設け（例えば、着磁処理により一体成形し又は別個に形成した永久磁石を円板に後付けし）、ヨークとの間で生じる磁気的吸引力及び反発力を回転駆動力として円板に直接及ぼすようにしたことで、構造が簡略化され、小型化、薄型化された光量調整装置（絞り装置）が提供される。
【０００８】
上記構成において、円板は、その回転中心に位置する支軸により、回動自在に支持されている、構成を採用することができる。
この構成によれば、円板の中心を支軸で回動自在に支持するため、摺動界面の面積を小さくすることができ、それ故に円板の回転に伴う摩擦力等を極力抑制することができる。
【０００９】
上記構成において、円板は、その外周面及びその回転中心線と垂直な主面において、基板に形成されたガイド部により、回動自在に支持されている、構成を採用することができる。
この構成によれば、円板の外周面及び主面をガイド部で支持することにより、円板を小径化してその中心に支軸を配置するスペースが確保できないような場合にも、円板を回動自在に支持することができる。すなわち、ターレット型の円板を小径化でき、それ故に装置を小型化できる。
【００１１】
上記構成において、ヨークの磁極片は、円板の回転中心線と垂直な主面に対向するように形成されている、構成を採用することができる。
この構成によれば、ヨークの磁極片は、回転中心線方向において円板の主面と対向するため磁気的作用を及ぼし合う対向面積を十分確保することができ、円板そのものを薄肉化できる。それ故に、円板の慣性モーメントを小さくすることができ、円板の起動応答性を高めることができる。
【００１２】
上記構成において、基板は、円板が往復動する角度範囲に対応する円弧状の長孔を有し、円板は、長孔に挿入されるピンを有する、構成を採用することができる。
この構成によれば、基板に形成された長孔の両端縁部により円板のピンが規制されることで、円板の回動範囲が規制され、例えば開口が露光用の開口部に臨む全開位置と、開口部が閉鎖される閉鎖位置又は絞り開口が露光用の開口部に臨む絞り位置とにおいて、円板を確実に位置決めすることができる。
【００１３】
上記構成において、ピンは、円板の径方向において、開口と略並ぶ領域に形成されている、構成を採用することができる。
この構成によれば、肉抜きされた開口の部分をピンで補うことにより、円板の回転不釣合い量をできるだけ小さくすることができ、円板を円滑に回転させることができる。
【発明の効果】
【００１４】
上記構成をなす光量調整装置によれば、露光用の開口部を全開する開口又は開口及び絞り開口をもつターレット型の円板にマグネットを設け、ヨークとの間で生じる磁気的吸引力及び反発力を回転駆動力として円板に直接及ぼすようにしたことにより、構造が簡略化され、小型化、薄型化され、携帯電話機、携帯型パーソナルコンピュータ、ＰＤＡ等の携帯情報端末装置に適用するのに好適なターレット型の光量調整装置（シャッタ装置又は絞り装置）を提供することができる。
【発明を実施するための最良の形態】
【００１５】
以下、本発明の最良の実施形態について、添付図面を参照しつつ説明する。
図１ないし図６は、本発明に係る光量調整装置の一実施形態を示すものであり、図１は装置の外観正面図、図２及び図４は装置の内部を示す平面図、図３及び図５は装置の断面図、図６は装置の一部を示す断面図である。
【００１６】
この光量調整装置は、図１ないし図６に示すように、基板としてベース１０及びカバー２０、ベース１０に回動自在に支持された円板３０、ベース１０に固定されたヨーク４０、ヨーク４０にボビン５０を介して巻回された励磁用のコイル６０等を備えている。
尚、ヨーク４０、コイル６０等により、円板３０を回転駆動する駆動機構が構成されている。
【００１７】
ベース１０は、図２及び図３に示すように、例えば樹脂材料を用いて略矩形形状の輪郭をなすように形成され、円形をなす露光用の開口部１１、円板３０を回動自在に支持する軸受孔１２、円板３０を収容する収容室１３、ヨーク４０及びボビン５０を位置決めする位置決め部１４等を備えている。
カバー２０は、図１ないし図３、図６に示すように、例えば樹脂材料を用いてベース１０と略同一の輪郭をなす矩形形状に形成され、ベース１０の開口部１１と同一径の円形をなす露光用の開口部２１、円板３０を回動自在に支持する軸受孔２２、後述する円板３０のピン３３ａを挿入して円板３０が往復動する角度範囲を規定する円弧状の長孔２３等を備えている。
尚、ベース１０とカバー２０とは、ベース１０に対して円板３０、ボビン５０の周りに巻回されたコイル６０を保持したヨーク４０が収容された後に、ネジ等により一体的に締結される。
【００１８】
円板３０は、図２、図３、図６に示すように、磁性粉末を含む樹脂材料により型成形され、かつ、成型後に周方向において異なる極性をもつように（Ｎ極とＳ極とに二分するように）着磁処理が施されてマグネット（永久磁石）を有するものである。
円板３０は、支軸３１、開口部１１，２１よりも大きい径をなす円形の開口３２、厚肉の外縁部３３、外縁部３３上でかつ径方向において開口３２と並ぶ位置に突出して形成されたピン３３ａ等を備えている。
そして、支軸３１がベース１０の軸受孔１２及びカバー２０の軸受孔２２に挿入されて、円板３０はベース１０及びカバー２０に対して回動自在に支持されている。このように、円板３０はその回転中心Ｌが支軸３１で回動自在に支持されるため、摺動界面の面積を小さくすることができ、それ故に円板３０の回転に伴う摩擦力等を極力抑制することができる。
【００１９】
円板３０の外周面３０ａは、図２ないし図６に示すように、後述するヨーク４０の磁極片４１，４２と対向するように形成されており、円板３０のマグネット（Ｎ極及びＳ極）と磁極片４１，４２とは、円板３０の径方向において、お互いに磁気的吸引力及び反発力を生じるようになっている。
ピン３３ａは、長孔２３に挿入されて、長孔２３の一端縁部２３ａに当接することで、円板３０を時計回りの回転端に位置決めし、長孔２３の他端縁部２３ｂに当接することで、円板３０を反時計回りの回転端に位置決めするものである。
また、ピン３３ａは、図１、図２、図４に示すように、円板３０の径方向において、開口３２と一直線上に並ぶ位置に形成されている。これにより、肉抜きされた開口３２の部分をピン３３ａで補うことにより、円板３０の回転不釣合い量をできるだけ小さくすることができ、円板３０を円滑に回転させることができる。
【００２０】
ヨーク４０は、磁力線を通す磁路を画定するものであり、図２及び図４に示すように、略Ｕ字状に屈曲して形成され、その自由端側に第１磁極片４１及び第２磁極片４２、２つの磁極片４１，４２を連結する領域に直線状の連結部４３等を備えている。
第１磁極片４１及び第２磁極片４２は、所定の間隙をおいて円板３０の外周面３０ａと対向するように円弧状に形成されている。連結部４３には、長手方向に二分割されたボビン５０が一体的に成形され、その後、ボビン５０の周りにはコイル６０が巻回されている。
そして、ヨーク４０は、ボビン５０にコイル６０が巻回された状態で、ベース１０の位置決め部１４に嵌め込まれて固定されるようになっている。
【００２１】
そして、コイル６０に対して、一方向に通電されると、第１磁極片４１にＮ極（又はＳ極）が生じ、第２磁極片４２にＳ極（又はＮ極）が生じ、他方向に通電されると、第１磁極片４１にＳ極（又はＮ極）が生じ、第２磁極片４２にＮ極（又はＳ極）が生じるようになっている。
【００２２】
次に、この装置がデジタルカメラのシャッタ装置として適用される場合の動作について、図１ないし図５に基づいて説明する。
先ず、コイル６０への通電が断たれた非通電の状態において、図１ないし図３に示すように、ピン３３ａは長孔２３の一端縁部２３ａに当接して、円板３０は時計回りの回転端に停止し、円板３０の開口３２が露光用の開口部１１，２１に臨む全開状態にある。
このとき、円板３０のＮ極は第１磁極片４１と磁気的に吸引し合い、又、円板３０のＳ極は第２磁極片４２と磁気的に吸引し合って、円板３０は、さらに磁気的安定位置へと向かおうとする力により付勢されているので時計回りの回転端に位置決め保持されている。
【００２３】
この全開状態において、レリーズ信号に基づき、コイル６０に対して一方向に通電されると、第１磁極片４１にＮ極が生じ又第２磁極片４２にＳ極が生じる。これにより、円板３０のＮ極は第１磁極片４１と磁気的に反発し合い、又、円板３０のＳ極は第２磁極片４２と磁気的に反発し合って、図４及び図５に示すように、円板３０は反時計回りに回転して、ピン３３ａが長孔２３の他端縁部２３ｂに当接して停止すると同時に、円板３０が露光用の開口部１１，２１を閉鎖する。これにより、露光用の開口部１１，２１を閉鎖するシャッタ動作が行われる。そして、コイル６０への通電が断たれると、円板３０のＳ極は第１磁極片４１と磁気的に吸引し合い、又、円板３０のＮ極は第２磁極片４２と磁気的に吸引し合って、円板３０は、さらに磁気的安定位置へと向かおうとする力により付勢されているので反時計回りの回転端に位置決め保持される。
【００２４】
一方、この全閉状態において、コイル６０に対して逆向きに通電されると、第１磁極片４１にＳ極が生じ又第２磁極片４２にＮ極が生じる。これにより、円板３０のＳ極は第１磁極片４１と磁気的に反発し合い、又、円板３０のＮ極は第２磁極片４２と磁気的に反発し合って、円板３０は時計回りに回転して、ピン３３ａが長孔２３の一端縁部２３ａに当接して停止すると同時に、円板３０の開口３２が露光用の開口部１１，２１を全開する位置に至る。これにより、最初の全開状態に復帰する。そして、次のシャッタ動作に備えて待機することになる。
【００２５】
このように、開口３２をもつターレット型の円板３０にマグネットを設け、ヨーク４０との間で生じる磁気的吸引力及び反発力を回転駆動力として円板３０に直接及ぼすようにしたことで、装置の構造を簡略化でき、装置を小型化、薄型化することができる。
【００２６】
図７ないし図１２は、本発明に係る光量調整装置の他の実施形態を示すものであり、図７は装置の外観正面図、図８及び図１０は装置の内部を示す平面図、図９及び図１１は装置の断面図、図１２は装置の一部を示す断面図である。尚、前述の実施形態と同一の構成については同一の符号を付してその説明を省略する。
【００２７】
この光量調整装置は、図７ないし図１２に示すように、基板としてベース１０及びカバー２０´、ベース１０に回動自在に支持された円板３０´、ベース１０に固定されたヨーク４０´、ヨーク４０´にボビン５０を介して巻回された励磁用のコイル６０等を備えている。尚、ヨーク４０´、コイル６０等により、円板３０´を回転駆動する駆動機構が構成されている。
【００２８】
カバー２０´は、図７ないし図９、図１２に示すように、前述同様に形成された、露光用の開口部２１、軸受孔２２、後述する円板３０´のピン３３ａ´を挿入して円板３０´が往復動する角度範囲を規定する円弧状の長孔２３´等を備えている。
【００２９】
円板３０´は、図８、図９、図１２に示すように、磁性粉末を含む樹脂材料により型成形され、かつ、成型後に周方向において異なる極性をもつように（Ｎ極とＳ極とに二分するように）着磁処理が施されてマグネット（永久磁石）を有するものである。
円板３０´は、支軸３１、開口部１１，２１よりも大きい径をなす円形の開口３２、回転中心線Ｌと垂直な主面３０ｂ´上において開口３２と径方向に一直線上に並ぶ位置に突出して形成されたピン３３ａ´等を備えている。
【００３０】
円板３０´の主面３０ｂ´は、図８ないし図１２に示すように、後述するヨーク４０´の磁極片４１´，４２´と対向するように形成されている。すなわち、円板３０´のマグネット（Ｎ極及びＳ極）と磁極片４１´，４２´とは、円板３０の回転中心線Ｌの方向において、お互いに磁気的吸引力及び反発力を生じるようになっている。
ピン３３ａ´は、長孔２３´に挿入されて、長孔２３´の一端縁部２３ａ´に当接することで、円板３０´を時計回りの回転端に位置決めし、長孔２３´の他端縁部２３ｂ´に当接することで、円板３０´を反時計回りの回転端に位置決めするものである。
また、ピン３３ａ´は、図８及び図１０に示すように、円板３０´の径方向において、開口３２と一直線上に並ぶ位置に形成されているため、前述同様に、肉抜きされた開口３２の部分をピン３３ａ´で補うことにより、円板３０´の回転不釣合い量をできるだけ小さくすることができ、円板３０´を円滑に回転させることができる。
【００３１】
ヨーク４０´は、磁力線を通す磁路を画定するものであり、図８及び図１０に示すように、略Ｕ字状に屈曲して形成され、その自由端側に第１磁極片４１´及び第２磁極片４２´、２つの磁極片４１´，４２´を連結する領域に直線状の連結部４３等を備えている。
第１磁極片４１´及び第２磁極片４２´は、所定の間隙をおいて円板３０´の主面３０ｂ´の外縁領域と対向するように円弧状に形成されている。
そして、コイル６０に対して、一方向に通電されると、第１磁極片４１´にＮ極（又はＳ極）が生じ、第２磁極片４２´にＳ極（又はＮ極）が生じ、他方向に通電されると、第１磁極片４１´にＳ極（又はＮ極）が生じ、第２磁極片４２´にＮ極（又はＳ極）が生じるようになっている。
【００３２】
すなわち、この装置においては、円板３０´は、前述の実施形態の円板３０における外縁部３３の厚肉部分を削除した平坦な形状に形成されており、ヨーク４０´の第１磁極片４１´及び第２磁極片４２´は、回転中心線Ｌ方向において円板３０´の主面３０ｂ´と対向するため、磁気的作用を及ぼし合う対向面積を十分確保することができ、円板３０´そのものを薄肉化できる。それ故に、円板３０´の慣性モーメントを小さくすることができ、円板３０´の起動応答性を高めることができる。
【００３３】
次に、この装置がデジタルカメラのシャッタ装置として適用される場合の動作について、図７ないし図１１に基づいて説明する。
先ず、コイル６０への通電が断たれた非通電の状態において、図７ないし図９に示すように、ピン３３ａ´は長孔２３´の一端縁部２３ａ´に当接して、円板３０´は時計回りの回転端に停止し、円板３０´の開口３２が露光用の開口部１１，２１に臨む全開状態にある。このとき、円板３０´のＮ極は第１磁極片４１´と磁気的に吸引し合い、又、円板３０´のＳ極は第２磁極片４２´と磁気的に吸引し合って、円板３０´は時計回りの回転端に位置決めされている。
【００３４】
この全開状態において、レリーズ信号に基づき、コイル６０に対して一方向に通電されると、第１磁極片４１´にＮ極が生じ又第２磁極片４２´にＳ極が生じる。これにより、円板３０´のＮ極は第１磁極片４１´と磁気的に反発し合い、又、円板３０´のＳ極は第２磁極片４２´と磁気的に反発し合って、図９及び図１０に示すように、円板３０´は反時計回りに回転して、ピン３３ａ´が長孔２３´の他端縁部２３ｂ´に当接して停止すると同時に、円板３０´が露光用の開口部１１，２１を閉鎖する。
この閉じ動作の際に、円板３０´の慣性モーメントが小さくなった分だけ応答性が良くなり、露光用の開口部１１，２１を閉鎖するシャッタ動作が高速で行われる（高速シャッタが可能になる）。そして、コイル６０への通電が断たれると、円板３０´のＳ極は第１磁極片４１´と磁気的に吸引し合い、又、円板３０´のＮ極は第２磁極片４２´と磁気的に吸引し合って、円板３０´は反時計回りの回転端に位置決めされる。
【００３５】
一方、この全閉状態において、コイル６０に対して逆向きに通電されると、第１磁極片４１´にＳ極が生じ又第２磁極片４２´にＮ極が生じる。これにより、円板３０´のＳ極は第１磁極片４１´と磁気的に反発し合い、又、円板３０´のＮ極は第２磁極片４２´と磁気的に反発し合って、円板３０´は時計回りに回転して、ピン３３ａ´が長孔２３´の一端縁部２３ａ´に当接して停止すると同時に、円板３０´の開口３２が露光用の開口部１１，２１を全開する最初の全開状態に復帰し、次のシャッタ動作に備えて待機することになる。この復帰動作の際にも、円板３０´の慣性モーメントが小さくなってその応答性が向上した分だけ高速復帰が可能となり、連続的にシャッタ動作（撮影）を行う場合に好適である。
【００３６】
このように、開口３２をもつターレット型の円板３０´にマグネットを設け、ヨーク４０´との間で生じる磁気的吸引力及び反発力を回転駆動力として円板３０´に直接及ぼすようにし、かつ、ヨーク４０´（第１磁極片４１´及び第２磁極片４２´）を円板３０´の主面３０ｂ´に対向させたことにより、装置の構造を簡略化でき、装置全体を小型化、薄型化、幅狭化することができる。
【００３７】
図１３ないし図１５は、本発明に係る光量調整装置のさらに他の実施形態を示すものであり、図１３は装置の外観正面図、図１４は装置の内部を示す平面図、図１５は装置の断面図である。尚、前述の実施形態と同一の構成については同一の符号を付してその説明を省略する。
【００３８】
この光量調整装置は、図１３ないし図１５に示すように、基板としてベース１０´´及びカバー２０´´、ベース１０´´に回動自在に支持された円板３０´´、ベース１０´´に固定されたヨーク４０、ヨーク４０にボビン５０を介して巻回された励磁用のコイル６０等を備えている。尚、ヨーク４０、コイル６０等により、円板３０´´を回転駆動する駆動機構が構成されている。
【００３９】
ベース１０´´は、図１４及び図１５に示すように、軸受孔１１を除いて前述同様に形成された，露光用の開口部１１，収容室１３，位置決め部１４等の他に、円板３０´´の外周面３０ａ´´と下面（主面）３０ｃ´´を支持するガイド部１５´´を備えている。
カバー２０´´は、図１３及び図１５に示すように、軸受孔２２を除いて前述同様に形成された，露光用の開口部２１、円弧状の長孔２３等の他に、円板３０´´の外縁部３３の上面（主面）３０ｄ´´を支持するガイド部２４´´備えている。
そして、ベース１０´´とカバー２０´´とは、円板３０´´、ボビン５０の周りに巻回されたコイル６０を保持したヨーク４０が収容された後に、ネジ等により一体的に締結される。
【００４０】
円板３０´´は、図１４及び図１５に示すように、前述同様に、磁性粉末を含む樹脂材料により型成形された後に周方向において異なる極性をもつように（Ｎ極とＳ極とに二分するように）着磁処理が施されてマグネット（永久磁石）を有するものであり、支軸３１を除いて前述同様に形成された，開口３２、外縁部３３、ピン３３ａ等を備えている。
そして、円板３０´´は、収容室１３に挿入されて、外周面３０ａ´´及び下面（主面）３０ｃ´´が、外周面３０ａ´´と同心的に形成されたガイド部１５´´により支持され、カバー２０´´がベース１０´´に接合されて、上面（主面）３０ｄ´´が、長孔２３の領域を除いて外周面３０ａ´´と同心的に形成されたガイド部２４´´に支持（当接）されることで、ベース１０´´及びカバー２０´´に対して回動自在に支持される。
【００４１】
このように、円板３０´´は、その外周面３０ａ´´及び主面３０ｃ´´，３０ｄ´´がガイド部１５´´，２４´´で支持されることにより、円板３０´´を小径化してその中心に支軸を配置するスペースが確保できないような場合にも、円板を回動自在に支持することができる。すなわち、ターレット型の円板を小径化でき、それ故に装置を小型化できる。
尚、この装置の動作については、前述の図１ないし図７に示す装置と同一であるため、説明を省略する。
【００４２】
図１６ないし図１８は、本発明に係る光量調整装置のさらに他の実施形態を示すものであり、図１６及び図１７は装置の内部を示す平面図、図１８は装置の断面図である。尚、前述の実施形態と同一の構成については同一の符号を付してその説明を省略する。
【００４３】
この光量調整装置は、図１６ないし図１８に示すように、基板としてベース１０及びカバー２０、ベース１０に回動自在に支持された円板３０´´´、ベース１０に固定されたヨーク４０、ヨーク４０にボビン５０を介して巻回された励磁用のコイル６０等を備えている。尚、ヨーク４０、コイル６０等により、円板３０´´´を回転駆動する駆動機構が構成されている。
【００４４】
円板３０´´´は、図１６ないし図１８に示すように、前述同様に、磁性粉末を含む樹脂材料により型成形された後に周方向において異なる極性をもつように（Ｎ極とＳ極とに二分するように）着磁処理が施されてマグネット（永久磁石）を有するものであり、前述同様に形成された，支軸３１、開口３２、外縁部３３、ピン３３ａ等の他に、露光用の開口部１１，２１よりも小径の絞り開口３４´´´を備えている。
そして、円板３０´´は、支軸３１が軸受孔１２，２２に挿入され、ベース１０´´及びカバー２０´´に対して回動自在に支持されている。
【００４５】
そして、円板３０´´´は、ピン３３ａが長孔２３の一端縁部２３ａに当接するとき、開口３２が露光用の開口部１１，２１に臨んで全開状態を形成し、ピン３３ａが長孔２３の他端縁部２３ｂに当接するとき、絞り開口３４´´´が露光用の開口部１１，２１に臨んで絞り状態を形成するようになっている。
【００４６】
次に、この装置がデジタルカメラの絞り装置として適用される場合の動作について、図１６ないし図１８に基づいて説明する。
先ず、コイル６０への通電が断たれた非通電の状態において、図１６及び図１８（ａ）に示すように、ピン３３ａは長孔２３の一端縁部２３ａに当接して、円板３０´´´は時計回りの回転端に停止して、開口３２が露光用の開口部１１，２１に臨む全開状態にある。このとき、円板３０´´´のＮ極は第１磁極片４１と磁気的に吸引し合い、又、円板３０´´´のＳ極は第２磁極片４２と磁気的に吸引し合って、円板３０´´´は時計回りの回転端に位置決めされている。
【００４７】
この全開状態において、所定の信号に基づき、コイル６０に対して一方向に通電されると、第１磁極片４１にＮ極が生じ又第２磁極片４２にＳ極が生じる。これにより、円板３０´´´のＮ極は第１磁極片４１と磁気的に反発し合い、又、円板３０´´´のＳ極は第２磁極片４２と磁気的に反発し合って、図１７及び図１８（ｂ）に示すように、円板３０´´´は反時計回りに回転して、ピン３３ａが長孔２３の他端縁部２３ｂに当接して停止すると同時に、絞り開口３４´´´が露光用の開口部１１，２１に臨み、露光用の開口部１１，２１を所定の口径に絞る絞り動作が行われる。そして、コイル６０への通電が断たれると、円板３０´´´のＳ極は第１磁極片４１と磁気的に吸引し合い、又、円板３０´´´のＮ極は第２磁極片４２と磁気的に吸引し合って、円板３０´´´は反時計回りの回転端に位置決めされる。
【００４８】
一方、この絞り状態において、コイル６０に対して逆向きに通電されると、第１磁極片４１にＳ極が生じ又第２磁極片４２にＮ極が生じる。これにより、円板３０´´´のＳ極は第１磁極片４１と磁気的に反発し合い、又、円板３０´´´のＮ極は第２磁極片４２と磁気的に反発し合って、円板３０´´´は時計回りに回転して、ピン３３ａが長孔２３の一端縁部２３ａに当接して停止すると同時に、開口３２が露光用の開口部１１，２１に臨む全開位置に至る。これにより、最初の全開状態に復帰する。
【００４９】
このように、開口３２及び絞り開口３４´´´をもつターレット型の円板３０´´´にマグネットを設け、ヨーク４０との間で生じる磁気的吸引力及び反発力を回転駆動力として円板３０´´´に直接及ぼすようにしたことで、装置の構造を簡略化でき、装置を小型化、薄型化することができる。
【００５０】
上記実施形態においては、シャッタ動作を行う光量調整装置において、ヨーク４０´を円板３０´の主面に対向させる場合を示したが、これに限定されるものではなく、絞り動作を行う光量調整装置において、ヨークを円板の主面（回転中心線に垂直な面）に対向させる構成を採用してもよい。
上記実施形態においては、円板３０，３０´，３０´´，３０´´´に対して、着磁処理によりマグネットを形成したが、別個に形成されたマグネットを円板に後付けしてもよい。
【産業上の利用可能性】
【００５１】
以上述べたように、本発明の光量調整装置は、露光用の開口部を全開し得る開口又は絞り開口をもつ円板にマグネットを形成し、駆動機構として、マグネットに磁気的作用を及ぼすヨーク及びコイルを採用したことにより、小型化、薄型化等が達成されたターレット型の光量調整装置（シャッタ装置又は絞り装置）が得られるため、特に小型化が要求される携帯電話機等のカメラユニットの光量調整装置として使用することができるのは勿論のこと、その他のカメラユニットにおいても有用である。
【図面の簡単な説明】
【００５２】
【図１】本発明の光量調整装置の一実施形態を示す外観正面図である。
【図２】図１に示す装置の内部を示す平面図である。
【図３】図１に示す装置の断面図である。
【図４】図１に示す装置の内部を示す平面図である。
【図５】図１に示す装置の断面図である。
【図６】図１中のＥ１−Ｅ１における部分断面図である。
【図７】本発明の光量調整装置の他の実施形態を示す外観正面図である。
【図８】図７に示す装置の内部を示す平面図である。
【図９】図７に示す装置の断面図である。
【図１０】図７に示す装置の内部を示す平面図である。
【図１１】図７に示す装置の断面図である。
【図１２】図７中のＥ２−Ｅ２における部分断面図である。
【図１３】本発明の光量調整装置のさらに他の実施形態を示す外観正面図である。
【図１４】図１３に示す装置の内部を示す平面図である。
【図１５】図１３中のＥ３−Ｅ３における断面図である。
【図１６】本発明の光量調整装置のさらに他の実施形態を示す内部の平面図である。
【図１７】図１６に示す装置の内部を示す平面図である。
【図１８】（ａ），（ｂ）は、図１６に示す装置の一部を示す部分断面図である。
【符号の説明】
【００５３】
１０，１０´´  ベース（基板）
１１  露光用の開口部
１２  軸受孔
１３  収容室
１５´´  ガイド部
２０，２０´，２０´´  カバー（基板）
２１  露光用の開口部
２２  軸受孔
２３，２３´  円弧状の長孔
２３ａ，２３ａ´  一端縁部
２３ｂ，２３ｂ´  他端縁部
２４´´  ガイド部
３０，３０´，３０´´，３０´´´  円板
３０ａ，３０ａ´´  外周面
３０ｂ´  主面
３０ｃ´´  下面（主面）
３０ｄ´´  上面（主面）
３１  支軸
３２  開口
３３  外縁部
３３ａ，３３ａ´  ピン
３４´´´  絞り開口
４０，４０´  ヨーク
４１，４１´  第１磁極片
４２，４２´  第２磁極片
４３  連結部
５０  ボビン
６０  コイル
Ｌ  円板の回転中心線（回転中心）
【図１】
0004628001.tif 000002
【図２】
0004628001.tif 000003
【図３】
0004628001.tif 000004
【図４】
0004628001.tif 000005
【図５】
0004628001.tif 000006
【図６】
0004628001.tif 000007
【図７】
0004628001.tif 000008
【図８】
0004628001.tif 000009
【図９】
0004628001.tif 000010
【図１０】
0004628001.tif 000011
【図１１】
0004628001.tif 000012
【図１２】
0004628001.tif 000013
【図１３】
0004628001.tif 000014
【図１４】
0004628001.tif 000015
【図１５】
0004628001.tif 000016
【図１６】
0004628001.tif 000017
【図１７】
0004628001.tif 000018
【図１８】
0004628001.tif 000019